(57)【要約】【課題】マイナスイオン、遠赤外線を発し種々の美容・健康改善効果があるが、高価かつ成型困難なトルマリン等の鉱石を日常生活に気軽に用いるため、鉱石をパウダー状にして、通気性・透水性に配慮しつつ、セメントで固めた人工石を提供する。【解決手段】それを色々な形に成型し、枕、足踏み、消臭剤、乾燥剤等の日用品やオブジェの素材として活用する。また、平板状にした人工石をお風呂に入れて入浴したり、暖めた人工石の上に横たわり岩盤浴をしたりすれば、人工石より発せられるマイナスイオン、遠赤外線等の効果により種々の美容・健康改善効果を得ることができることを特徴とする。【選択図】図１
2005139059.tif 000002
【特許請求の範囲】
【請求項１】
トルマリン鉱石のパウダー等を、通気性・透水性に配慮しつつ、モルタルで固めた人工石
【請求項２】
請求項１の人工石の活用方法として、快眠石枕、血行促進足踏み、遠赤石タンポ・パット・タワシ、消臭剤、乾燥剤、靴の臭いとり、下水臭逆流防止蓋、空気快適オブジェ、石焼用壷、風呂用温泉石板、岩盤浴用石板等
【発明の詳細な説明】
【発明の詳細な説明】
【技術分野】
【０００１】  トルマリン鉱石より発せられるマイナスイオン・遠赤外線効果については、周知の事実であり、種々の美容・健康・環境改善効果を有する鉱石として注目されているところである。
この発明は、このような鉱石の持つ長所を最大限に生かし、かつ安価で気軽に日常生活に活用できるよう、トルマリン鉱石のパウダーをセメント・軽石等の軽量モルタルに練り込み、いろいろな形に成型・固化し（以下「人工石」という。）、日用雑貨や美容・健康グッズ等の素材として提供するものである。
この人工石はトルマリン原石より発せられるマイナスイオン・遠赤外線効果、消臭効果等の外、骨材の軽石等に因る吸湿効果もある。
その使用方法であるが、以下のように種々の分野で活用することができる。
▲１▼半円柱等の形状にして、枕とすれば、マイナスイオン・遠赤外線効果により血行が促進され、肩凝りの解消、精神安定作用、吸湿効果等により快眠できる。保温性もよいため、暖めて活用すれば肩が冷えないし、足元に置けば湯タンポならず、石タンポとなる。脱衣所等において足踏みにすれば足裏のつぼを刺激して種々の健康改善効果が期待できる。パット状にして腰痛等の患部に当てれば痛みが和らぐ。タワシ程度の大きさにして体をごしごし擦れば、石タワシとして角質落しや垢落ししながら血行促進を図ることもできる。
▲２▼消臭効果、吸湿効果があるので、冷蔵庫、タンス、下駄箱等に入れれば消臭剤、乾燥剤になる。小片を靴の中に入れれば靴の臭いとりとなる。
▲３▼マイナスイオン発生、消臭効果等があり、成型、着色も容易なので、洗面所等の排水口に蓋として置けば、水を通しながら下水からの悪臭の逆流も防げる。形や色を工夫すれば、鍋敷き等の雑貨類、お菓子や果物を入れる容器、その他部屋の空気を快適にするオブジェ、インテリアの素材としても活用できる。
▲４▼壷状、鍋状にして、下から七輪等で熱すれば、遠赤外線効果により、焼き芋等がこんがりと焼き上がる。
▲５▼ブロック状や平板状にして風呂に入れてお湯を沸かせば、お湯を弱アルカリにし、塩素分を除去し、体を芯から暖め血行促進、湯冷め防止等の効果があり、一般家庭で、気軽に温泉気分を味わえる。また、消臭効果により残り湯が臭わないので再利用しやすい。残り湯で洗濯すれば、界面活性効果もあるため、わずかな洗剤でも汚れが落ちやすくなる。庭やプランターにまけば草木が活き活きとし、成長促進の効果もみられる。
さらにこの人工石にはお湯を沸きやすく冷めにくくする効果もあり、ガス代等の節約にもなる。また、この石は吸水性が高いので水をたっぷり吸わせて電子レンジで暖め、それをお風呂に入れると、追炊きできないタイプのお風呂でも簡単にお湯を暖めることができる。
▲６▼家庭用岩盤浴としての活用。岩盤浴については既に特許申請済みであるが（２００２−３３４０１）、この人工石を活用すれば各家庭で気軽に岩盤浴ができ、汗とともに老廃物を出すことによって、血行促進、肩凝り、腰痛等の健康改善効果、美肌、ダイエット等の美容効果を得ることができる。
以上、この人工石の用途・効能は多岐にわたり、しかも半永久的に使用できるため、一石二丁、三丁、四丁も欲張った素晴らしい製品の製造が可能となる。
【背景技術】
【０００２】  トルマリン等の美容・健康改善効果を有する鉱石は種々あるが、総じて高価であり、しかも鉱物という性質上、各種用途に供そうとしても成型は困難である。
また、トルマリンは電気石とも言われるように鉱石自体に０．０６ミリアンペアの微弱電流が流れ、そのことゆえマイナスイオンが発生するところ、例えば同じ量のトルマリンを考えた場合、１個の単体で活用するよりも、できるだけ細かく磨り潰して表面積を多くとり、お互いが接しないようにして水や空気に触れる面積を広くすれば、それだけ多くマイナスイオンが発生するという性質を有している。つまり鉱石をパウダー状にして他の物に混ぜることによって、鉱石単体以上の効果が得られ、かつ安価で成型しやすい素材を提供することができるのである。
従来、トルマリンのパウダーを混入して成型する方法として、陶器がある。
しかし、トルマリンは約９５０度以上の温度で熱するとマイナスイオンを出す性質が失われてしまうところ、粘土にトルマリンのパウダーを混ぜて陶器にしたところで、高温で加熱するため、トルマリンの長所を生かしきることはできない。
セメントで固めれば高熱にならない点でこの問題をクリアできる。しかし、ただ単に通常のセメント・砂のモルタルに混入し固めるだけでは、過重となりすぎ取り扱いにくいし、通気性や透水性が乏しいため、いまだ長所を生かしきれていない。トルマリンは空気中の水分に接することによってもマイナスイオンを発生する性質を有しているため、通気性・透水性を最大限確保する必要がある。
セメントで固め、しかも鉱石の持つ長所をより伸ばすため、通気性・透水性をよくし、軽量性、加工の容易性を追求した点に本発明の画期性がある。
【発明が解決しようとする課題】
【０００３】  トルマリン等の鉱石の長所を最大限生かすため、いかにして通気性、透水性を確保しつつ、軽量で加工しやすいようにトルマリン鉱石のパウダー等を固めるか。
【課題を解決するための手段】
【０００４】  粒状の軽量骨材のまわりにトルマリン鉱石等のパウダーをまぶすようにして、かつ細かな間隙が多くできるようにして、トルマリンが水や空気に接する面積をできるだけ広くなるように留意しつつセメントで固める。
【発明を実施するための最良の形態】
【０００５】以下、本発明の実施の形態について説明する。
（イ）セメントを１ｋｇとした場合の重量比で表すと、直径５ｍｍ前後の軽石等多孔質で透水性、保水性のよい軽量骨材を１．５ｋｇ、トルマリン（電気的性質の高いショールトルマリンがよい）のパウダーを０．２ｋｇ（パウダーはできるだけ目の細かいものがよい。また、麦飯石、ゲルマニウム等健康に良いとされる他の鉱石のパウダーを加えてもよい）、直径５ｍｍ前後のトルマリンの玉石０．３ｋｇをポリバケツ等の大きな容器に入れ（好みに応じて色粉を少量混ぜてもよい）、水約１リットルを徐々に入れながら、よくかき混ぜ、練ってモルタルとする。骨材にセメントが十分に馴染み粘り気がでるまで根気良く練りこむことが肝心。
（ロ）プラスチックや発泡スチロール等でできた半円柱や平板等の型枠の中に、練ったモルタルをスコップ等で詰め込む。
（ハ）遠赤外線等の効果をより高めたければ、遠赤外線タイルやチップをモルタルの表層部に埋め込めばよいが、その場合、遠赤外線タイル等の表面を両面テープで型枠に貼り付けた状態にして、モルタルを詰め込む。
（ニ）モルタルを詰め込んだ型枠に適度な振動を与えたり、上から適度な力で点圧したりして、モルタルが均質に広がるように気をつける。また、余分な水分が下に溜まらないよう適時、上下をひっくり返したりする。
（ホ）２，３日養生をして、完全に乾いたら離型し、水洗い、熱湯消毒して完成。
（ヘ）型枠さえ工夫すれば、枕、足踏み、冷蔵庫の消臭剤、鍋敷き、石焼芋用の壷等の日用雑貨やオブジェ等として広く活用できる。さらに人工石のブロックや石板を浴槽に入れてお湯を沸かすと、家庭で温泉気分を味わえる。
（ト）また、家庭用岩盤浴としても活用できる。岩盤浴自体は既に特許申請済であり、種々の美容・健康改善効果が実証されているが、この人工石を活用すれば、一般家庭においても手軽にこの岩盤浴を楽しむことができる。
まず準備するものとして、▲１▼一辺が３０ｃｍ前後、厚さ３、４ｃｍの人工石の石板、４，６枚、▲２▼中に大人一人がゆったりと横たわれるように寝袋状にした防水性、耐熱性のあるビニールシート、▲３▼熱源として電気カーペット・電気毛布。
それらを以下のようにして使用する。すなわち、暖かくした電気カーペットの上にシートを敷き、そのシートの中に石板を入れ、石の上に熱水をかけ、たっぷりと水分を含ませる。シートの上から電気毛布をかけ、上下から人工石を暖める。人工石が４２℃前後になったら、シートの中に体を入れ、石板の上に横たわり、うつ伏せになったり仰向けになったりする。１０分ほどすると滝のような汗が出て体の老廃物を排出してくれる。シートの中はマイナスイオンの濃度が高く、またトルマリンの消臭効果等により、汗はサラサラかつ無臭であり、その汗自体に種々の美容、健康改善効果がある。
なお、熱源として今回は市販の電気カーペット・電気毛布を活用しているが、例えば熱源として遠赤外線フィルム等を内蔵し温度調節のできるシートがあれば、より利便性が高まるし、より一層の美容・健康改善効果が期待できる。
また、シートや熱源を用いなくとも風呂場等気密性の高い部屋があれば、浴槽の中若しくは洗い場に石板を並べて、その上にシャワーで熱水をかけて石を暖めれば、簡単に岩盤浴が楽しめる。
【発明の効果】
【０００６】  この人工石は、遠赤外線、マイナスイオンを発し成型もしやすいため、適当な形状にして枕や足踏みにしたり、肩や腰痛等の患部に当てたりすれば、血行が促進され、肩凝りや痛み等が和らぐ。人口石を入れてお風呂を沸かし入浴すれば、体が芯から温まり、温泉気分を味わえる。岩盤浴として活用すれば、汗とともに老廃物を排出し、血行促進、新陳代謝を活発にし、自然治癒力の増進、生活習慣病予防、老化防止、美肌、痩身等種々の健康改善、美容効果が得られる。さらにこの人工石には、吸湿効果、消臭効果等があるため、消臭剤や乾燥剤として日用雑貨の素材として活用できる外、デザイン、色彩を工夫すれば部屋の空気を改善するオブジェの素材としても活用できる。その他、この人工石をグラウンド、テニスコートに敷けば、良好な環境のもとでスポーツができる。また、ビル建設や道路、護岸工事等に用いれば、大気汚染、水質汚濁防止、特に社会問題となっている花粉症等に一定の効果があるものと思われ、社会全体の健康改善、環境改善を図ることもでき、ひいては高騰する医療費の抑制にもつながる。
【図面の簡単な説明】
【図１】  本発明の斜視図
【図１】
2005139059.tif 000003